(57)【特許請求の範囲】
【請求項１】
貫通孔が形成された装飾玉を、複数の連結子が連結されてなる鎖に取り付ける装飾玉つき鎖の加工方法であって、
幅方向の外径が前記貫通孔の開口径より小さく形成された略長円環状の前記連結子を複数連結することよって、一定の長さを有する前記鎖を形成する工程と、
前記各装飾玉の前記貫通孔内に前記鎖を引き通した後、当該鎖を形成している前記複数の連結子のうち当該装飾玉の内部から外部に露出している前記連結子における当該露出部分に、その外径が前記貫通孔の開口径より大きくなるように拡大された拡大部を形成することによって、複数の前記装飾玉を前記鎖に取り付ける工程と、を有し、
前記各拡大部は、前記連結子の幅方向の内径より径小に形成された先端から前記連結子の幅方向の内径より径大に形成された径大部にかけて外径が拡大する拡開バーを、その先端側から前記露出部分の内側に圧入することによって形成され、
前記各装飾玉は、前記鎖を形成している前記複数の連結子のうち一の連結子に形成された前記拡大部と当該一の連結子とは異なる他の連結子に形成された前記拡大部との間において、フレキシブルに保持されていることを特徴とする装飾玉つき鎖の加工方法。
【請求項２】
貫通孔が形成された装飾玉を、複数の連結子が連結されてなる鎖に取り付ける装飾玉つき鎖の加工方法であって、
幅方向の外径が前記貫通孔の開口径より大きく形成された略長円環状の前記連結子を複数連結することよって、一定の長さを有する前記鎖を形成する工程と、
前記鎖を形成する各連結子の幅方向の外径が前記貫通孔の開口径より小さくなるように、当該各連結子を圧縮することによって、前記鎖を、その太さが前記貫通孔の開口径よりも小さくなるようにスリム化する工程と、
前記各装飾玉の前記貫通孔内に前記スリム化された鎖を引き通した後、当該鎖を形成している前記複数の連結子のうち当該装飾玉の内部から外部に露出している前記連結子における当該露出部分に、その外径が前記貫通孔の開口径より大きくなるように拡大された拡大部を形成することによって、複数の前記装飾玉を前記鎖に取り付ける工程と、を有し、
前記各拡大部は、前記連結子の幅方向の内径より径小に形成された先端から前記連結子の幅方向の内径より径大に形成された径大部にかけて外径が拡大する拡開バーを、その先端側から前記露出部分の内側に圧入することによって形成され、
前記各装飾玉は、前記鎖を形成している前記複数の連結子のうち一の連結子に形成された前記拡大部と当該一の連結子とは異なる他の連結子に形成された前記拡大部との間において、フレキシブルに保持されていることを特徴とする装飾玉つき鎖の加工方法。
【請求項３】
前記各連結子が、長さ方向軸を中心に捻りが加えられているものであることを特徴とする請求項１又は請求項２に記載の装飾玉つき鎖の加工方法。
【発明の詳細な説明】
【技術分野】
【０００１】
本発明は、プラチナや金または銀などの地金をもって形成した丸状玉、楕円状玉、管状体等の中空殻体あるいは内部に鎖引き通し穴を設けた非中空体からなる装飾用部品類、あるいはヒスイやオパール、エメラルドなどの宝石類、さらには真珠などであって内部に鎖引き通し穴を設けた高級装飾体（以下これらを総称して単に「装飾玉」という）をプラチナやステンレスその他の金属製の鎖を用いてネックレス等にフレキシブルに多数もしくは複数連繋するための加工法に関し、コストの著しい低減と作業効率の向上をはかることを目的とする。
【背景技術】
【０００２】
内部中空にした装飾玉を連繋してネックレス等に加工するチェーンの加工方法については、これまでに種々のものが提案されているが、たとえば外郭形状が真円又は楕円などの球体をした多数の内部中空貴金属体のそれぞれに貫通穴を形成し、これに糸やワイヤーなどの線状体を引き通してフレキシブルに連繋させたものが古くから一般的である。
【０００３】
このほかにも、複数のそれぞれの真珠に貫通孔を形成し、これらの貫通孔を貫通させたところの、両端部が溶着材で溶着された複数の輪状部材と、これらの各輪状部材を連結させるための連結部材とを有するネックレス及びその製造方法（特開平７−２８９３２０号公報参照）や、あるいは鎖状に連結された複数のリング部材のうちの一部のリング部材の内側に、溶剤に溶かしたエポキシ樹脂等の充填剤を注入し、表面張力を利用してリング部材の輪のなかに保持・乾燥固化させることにより複数のコマ部材を一体化させるようにした装身具用チェーンとその製造方法（特開平９−２９４６１５号公報参照）も知られている。
【０００４】
また、装飾チェーンの途中に係止するようにしたデザインパーツであって、該デザインパ−ツに、貫通される装飾チェーンの直径より僅かに大きな貫通孔をそれぞれのデザインパーツの対象位置に形成するとともに、デザインパーツの殻体内に中空の弾性体を有するように構成した装飾チェーン用デザインパーツとその製造方法（特開２０００−２４５５１６号公報参照）も知られている。
【０００５】
さらに、本発明者らにより開発されたものであって、多数の内部中空体を連結子により連鎖状に、相互にフレキシブルに連結合させた貴金属チェーンにおいて、該貴金属チェーンの各球体に、その対称面の一部を中空内にまで達するようカットして中空内に開口させるとともに、該カットした肉厚面を外方に露呈させるようにしたことにより、球体対称部の開口部を利用して別の糸やワイヤーを引き通して貴金属あるいは宝石類など別の装飾体を二次元あるいは三次元方向に向けて容易に取り付けることができるようにした装飾貴金属チェーンおよびその製造方法（特開平１１−２１２号公報参照）も知られている。
【先行技術文献】
【特許文献】
【０００６】
【特許文献１】特開平７−２８９３２０号公報
【特許文献２】特開平９−２９４６１５号公報
【特許文献３】特開２０００−２４５５１６号公報
【特許文献４】特開平１１−２１２号公報
【発明の概要】
【発明が解決しようとする課題】
【０００７】
しかしながら、上記した特許文献１に開示されたものは部品点数が増加し、しかもデザイン的にシンプル性を欠くこと、また特許文献２に開示されたものは、加工に著しく手間がかかり、しかも装飾玉の大きさが異なると、これに合致した鎖状体を準備する必要があるため汎用性に欠ける点において必ずしも十分なものではない。
【０００８】
さらに特許文献３に開示されたものは、使用に際して装飾玉の位置を自在に変更することが可能である利点があるものの、特許文献１と同様に部品点数が増加し、しかも装飾玉自体の加工に工夫を要する点で使い勝手が必ずしも良好とはいえない。さらに特許文献４に開示されているものにあっても、適用範囲が１本のチェーンに対して装飾玉を二次元あるいは三次元方向に連繋させるデザインのものに限られるために、特許文献２のものと同様に汎用性にかけるところがある。
【課題を解決するための手段】
【０００９】
上記の課題を解決するために、本発明においては装飾玉をプラチナやステンレスその他の金属製の鎖を用いてネックレス等にフレキシブルに多数もしくは複数連繋加工する場合における加工性とシンプル性の向上および、加工コストの著しい低減をはかるようにしたものであって、具体的には、貫通孔が形成された装飾玉を、複数の連結子が連結されてなる鎖に取り付ける装飾玉つき鎖の加工方法であって、幅方向の外径が前記貫通孔の開口径より小さく形成された略長円環状の前記連結子を複数連結することよって、一定の長さを有する前記鎖を形成する工程と、前記各装飾玉の前記貫通孔内に前記鎖を引き通した後、当該鎖を形成している前記複数の連結子のうち当該装飾玉の内部から外部に露出している前記連結子における当該露出部分に、その外径が前記貫通孔の開口径より大きくなるように拡大された拡大部を形成することによって、複数の前記装飾玉を前記鎖に取り付ける工程と、を有し、前記各拡大部は、前記連結子の幅方向の内径より径小に形成された先端から前記連結子の幅方向の内径より径大に形成された径大部にかけて外径が拡大する拡開バーを、その先端側から前記露出部分の内側に圧入することによって形成され、前記各装飾玉は、前記鎖を形成している前記複数の連結子のうち一の連結子に形成された前記拡大部と当該一の連結子とは異なる他の連結子に形成された前記拡大部との間において、フレキシブルに保持されていることを特徴とする装飾玉つき鎖の加工方法に関する。
【００１０】
また本発明は、貫通孔が形成された装飾玉を、複数の連結子が連結されてなる鎖に取り付ける装飾玉つき鎖の加工方法であって、幅方向の外径が前記貫通孔の開口径より大きく形成された略長円環状の前記連結子を複数連結することよって、一定の長さを有する前記鎖を形成する工程と、前記鎖を形成する各連結子の幅方向の外径が前記貫通孔の開口径より小さくなるように、当該各連結子を圧縮することによって、前記鎖を、その太さが前記貫通孔の開口径よりも小さくなるようにスリム化する工程と、前記各装飾玉の前記貫通孔内に前記スリム化された鎖を引き通した後、当該鎖を形成している前記複数の連結子のうち当該装飾玉の内部から外部に露出している前記連結子における当該露出部分に、その外径が前記貫通孔の開口径より大きくなるように拡大された拡大部を形成することによって、複数の前記装飾玉を前記鎖に取り付ける工程と、を有し、前記各拡大部は、前記連結子の幅方向の内径より径小に形成された先端から前記連結子の幅方向の内径より径大に形成された径大部にかけて外径が拡大する拡開バーを、その先端側から前記露出部分の内側に圧入することによって形成され、前記各装飾玉は、前記鎖を形成している前記複数の連結子のうち一の連結子に形成された前記拡大部と当該一の連結子とは異なる他の連結子に形成された前記拡大部との間において、フレキシブルに保持されていることを特徴とする装飾玉つき鎖の加工方法にも関する。
【発明の効果】
【００１１】
本発明は上記したように、貫通孔が形成された装飾玉を、複数の連結子が連結されてなる鎖に取り付ける装飾玉つき鎖の加工方法であって、幅方向の外径が前記貫通孔の開口径より小さく形成された略長円環状の前記連結子を複数連結することよって、一定の長さを有する前記鎖を形成する工程と、前記各装飾玉の前記貫通孔内に前記鎖を引き通した後、当該鎖を形成している前記複数の連結子のうち当該装飾玉の内部から外部に露出している前記連結子における当該露出部分に、その外径が前記貫通孔の開口径より大きくなるように拡大された拡大部を形成することによって、複数の前記装飾玉を前記鎖に取り付ける工程と、を有し、前記各拡大部は、前記連結子の幅方向の内径より径小に形成された先端から前記連結子の幅方向の内径より径大に形成された径大部にかけて外径が拡大する拡開バーを、その先端側から前記露出部分の内側に圧入することによって形成され、前記各装飾玉は、前記鎖を形成している前記複数の連結子のうち一の連結子に形成された前記拡大部と当該一の連結子とは異なる他の連結子に形成された前記拡大部との間において、フレキシブルに保持されているようにしたために、鎖を形成する複数の連結子における各装飾玉の左右両側に露出した部分を装飾玉の貫通孔内径よりも拡径して太くすることにより、各装飾玉が鎖の長さ方向における目的位置に固定され、容易には位置づれすることがない。
【００１２】
また従来法のように装飾玉内に弾性体を装入するなどの面倒な加工もなく、きわめて低コストに、しかもシンプルな構成として加工性が良好となる。また、貫通孔が形成された装飾玉を、複数の連結子が連結されてなる鎖に取り付ける装飾玉つき鎖の加工方法であって、幅方向の外径が前記貫通孔の開口径より大きく形成された略長円環状の前記連結子を複数連結することよって、一定の長さを有する前記鎖を形成する工程と、前記鎖を形成する各連結子の幅方向の外径が前記貫通孔の開口径より小さくなるように、当該各連結子を圧縮することによって、前記鎖を、その太さが前記貫通孔の開口径よりも小さくなるようにスリム化する工程と、前記各装飾玉の前記貫通孔内に前記スリム化された鎖を引き通した後、当該鎖を形成している前記複数の連結子のうち当該装飾玉の内部から外部に露出している前記連結子における当該露出部分に、その外径が前記貫通孔の開口径より大きくなるように拡大された拡大部を形成することによって、複数の前記装飾玉を前記鎖に取り付ける工程と、を有し、前記各拡大部は、前記連結子の幅方向の内径より径小に形成された先端から前記連結子の幅方向の内径より径大に形成された径大部にかけて外径が拡大する拡開バーを、その先端側から前記露出部分の内側に圧入することによって形成され、前記各装飾玉は、前記鎖を形成している前記複数の連結子のうち一の連結子に形成された前記拡大部と当該一の連結子とは異なる他の連結子に形成された前記拡大部との間において、フレキシブルに保持されている装飾玉つき鎖の加工方法とした場合においては、以下の効果がある。
【００１３】
すなわち装飾玉の大きさ如何により、太さの異なる鎖を用意する必要がなくなり、ある程度の範囲内なら標準的太さの鎖を準備しておくだけで使用する装飾玉が小さい場合、したがって各装飾玉の貫通孔の内径が小さい場合にも対応でき、しかも鎖の引っ張り強度は殆ど変わらないから耐久性に優れた鎖として用いることが可能となる。
【図面の簡単な説明】
【００１４】
【図１】本発明の装飾玉つき鎖の加工方法に用いられる鎖（Ａ）と、該鎖をスリム化して装飾玉の貫通孔内にスリム化した鎖を引き通す第２の引き通し手段の実施状況を説明するための原理的説明図（Ｂ）。
【図２】各装飾玉の貫通孔内に鎖を引き通した後、あるいはスリム化した鎖を引き通した後、鎖の装飾玉内部から外部に露出した連結子部分に、連結子の内側隙間より径大であって、しかも先端を少なくとも連結子の内側隙間より径小な程度に尖らせた拡径バーを差し込んで該連結子部分の外径を装飾玉の貫通孔より拡大させるようにした装飾玉つき鎖の加工状況の一例をあらわした要部拡大説明図。
【図３】鎖を構成する連結子の別の実施例をあらわした部分拡大図。
【図４】本発明の別の実施例であって、管状の装飾玉のみを断面であらわした部分拡大図。
【発明を実施するための形態】
【００１５】
以下において本発明の実施の形態について詳細に説明をする。図２は本発明による一般的な加工法をあらわしたもので、１は装飾玉、２は鎖をあらわしている。この場合に用いられる装飾玉１については、既述したようにプラチナや金または銀などの地金をもって形成した丸状玉、楕円状玉、管状体等の中空殻体あるいは内部に鎖引き通し穴を設けた非中空体からなる装飾用部品類、あるいはヒスイやオパール、エメラルドなどの宝石類、さらには真珠などであって内部に鎖引き通し穴を設けた高級装飾体等が用いられる。
【００１６】
装飾玉１にはそれぞれ対称面に開口させて鎖２を引き通すための貫通孔１ａが形成される。また鎖２についても、例えば図１（Ａ）にもあらわしたようにプラチナやステンレスその他の金属製の長円形状の連結子２ａを、隣接する連結子２ａと互いの無端長円の短部内周側を交差状に結合させて多数直列状に繋いでフレキシブルな一定長さの鎖２を構成している。
【００１７】
この場合の図１（Ａ）に示した鎖２の太さ（各連結子２ａの短辺側外径）が、装飾玉１に形成した貫通孔１ａの開口径と略同等か、あるいは細い場合においては、この〔図１（Ａ）の〕鎖２をそのままの状態で用いることができる。具体的には、例えば首に掛ける一定の長さのフレキシブルな連繋鎖（ネックレス）２にプラチナ等の多数もしくは複数の内部中空殻体とした装飾玉１を取り付ける場合に、各装飾玉の対称面にあらかじめ貫通孔１ａ・１ａを穿設しておくとともに、これらの装飾玉を、それらの貫通孔により図１（Ａ）にあらわした鎖に順次引き通す。
【００１８】
さらにその後鎖２の装飾玉１内部から両側外部に露出した連結子２ａの長円状をした内周側の隙間２ｂ部分に、連結子２ａの内側隙間より径大であって、しかも先端を少なくとも連結子２ａの内側隙間より径小な程度に尖らせた拡開バーＢを、尖らせた先端を先に手作業により圧入させることによって拡開バーＢの外径により連結子２ａの長円状をした内周側の隙間２ｂ部分を拡開させ、これによって該連結子２ａの装飾玉１の外方に露出した隙間２ｂ部分の外径を装飾玉１の貫通孔１ａ内径より拡大させて装飾玉１の鎖２に沿った移動を規制することができる。
【００１９】
なお図２にあらわした各連結子２ａは、拡開バーＢを圧入した連結子２ａの内周側の隙間２ｂより引き抜いて当該部分を拡開させた後の形状をあらわしている。したがって、この場合に用いられる拡開バーＢの外径については、その拡開バーＢの外径（太さ）に、該拡開バーＢを挟んだ連結子２ａの長円輪郭部の両方の厚みを加えた寸法が、装飾玉１の貫通孔１ａの内径より大きくなる程度に太いものを用いる必要がある。なお、上記した拡開バーＢの圧入による連結子２ａの長円状をした内周側の隙間２ｂ部分の拡開作業については、各装飾玉１毎に手作業にてその両脇部分を拡開させておこなうのが当面は現実的である。
【００２０】
しかしこの場合に例えば鎖２を構成する各連結子２ａが、たとえば後記する図３（Ｂ）にあらわしたように、それぞれの長さ方向中心線を軸として９０度の角度になるよう捻りを加えて構成した場合においては、装飾玉１を引き通した状態の鎖２を整然と載せる治具を作成し、該治具上において、各装飾玉１両脇の連結子２ａの各隙間２ｂ部分が揃って上向きになるように整列させた状態にし、これらの各隙間２ｂに対して一括して圧入させることが可能な各開バーＢ群を対峙させてセットし、鎖２に対して所定長さ毎に効率よく各連結子２ａの長円状をした内周側の隙間２ｂ部分の拡開作業を実施することも可能である。
【００２１】
また鎖２を構成する連結子２ａの大きさ（太さ）をあまり細くすると、一般的には強度劣化が免れない。とくに小さめの装飾玉１を用いる場合においては標準的な太さの鎖２を用いることが望ましく、この場合においては図１（Ａ）にあらわした標準的な鎖２を同図（Ｂ）のように一旦細めに加工して用いる必要がある。つまり多数もしくは複数の装飾玉１を一定の長さを有する略長円環状の連結子２ａを連繋させた鎖２に貫通させてフレキシブルに取り付ける場合に、一定の長さを有する略長円環状の連結子２ａを連繋させた鎖を、スリム化手段により鎖の太さを装飾玉の貫通孔径Ａよりも細くなるようスリム化加工する第１の加工手段を施す必要がある。
【００２２】
なお、ここで用いられるスリム化手段としては、例えば引き抜き穴の径を目的とする鎖２の径に設定した既知のダイスを引き抜くことによって、各連結子２ａの短辺幅が縮小されて取り付けるべき装飾玉１の貫通孔１ａの開口径より細い鎖２を容易に得ることができる。またダイス以外にも、少し手間はかかるが鎖２を構成する各連結子２ａを個別にハンマーで叩き、あるいはペンチ状の工具や油圧式パンチ、手動式パンチ等の工具類を用いて各連結子２ａを幅方向から圧縮加工することによってもスリム化することができる。
【００２３】
つぎに各装飾玉１の貫通孔１ａ内に、上記した第１の加工手段でスリム化した鎖２を引き通す第２の引き通し手段を施す。この場合にスリム化した鎖２は、その太さが図１（Ｂ）にあらわしたように装飾玉１の貫通孔１ａの開口径ＡーＡより細いので各装飾玉１の貫通孔１ａ内に向けて矢印Ｂ方向に容易に引き通すことができる。
【００２４】
さらに各装飾玉１の貫通孔１ａ内にスリム化した鎖２を引き通した後、鎖２の装飾玉１内部から外部両側に露出した連結子２ａ部分に、連結子の内側隙間より径大であって、しかも先端を少なくとも連結子２ａの内側隙間より径小な程度に尖らせた拡開バーＢを、尖った先端を先頭に圧入差し込んで該連結子２ａ部分の外径を装飾玉１の貫通孔１ａより拡大させるようにした第３の拡大手段を施す。
【００２５】
すなわち連結子２ａの長円状をした内周側の隙間２ｂ部分に、連結子２ａの内側隙間より径大であって、しかも先端を少なくとも連結子２ａの内側隙間より径小な程度に尖らせた拡開バーＢを、尖った先端を先頭にして手作業により、または機械的に圧入させることによって拡開バーＢの外径により連結子２ａの長円状をした内周側の隙間２ｂ部分を拡開させ、これによって該連結子２ａの装飾玉１の外方に露出した隙間２ｂ部分の外径を装飾玉１の貫通孔１ａ内径より拡大させて装飾玉１の鎖２に沿った移動を規制することができる。
【００２６】
なお本発明において用いられる鎖２については必ずしも既述した図１（Ａ）に記載したような構成のものに限られるものではなく、このほかにも例えば図３（Ａ）にあらわしたように各連結子２２ａを、その長さ方向長軸を中心に略８の字状に１８０度捻りが加えられた構成の鎖２２や、あるいは同図（Ｂ）にあらわしたように各連結子２２ａを、その長さ方向長軸を中心として９０度捻りが加えられた構成の鎖２２などの使用も含まれる。
【００２７】
また本発明において用いられる鎖については上記した各構成のもののほかにも、連繋される連結子間に非環状体や各種の装飾体、あるいは長円環状の連結子を間歇的に捻りを加えたり変形させたものを連繋させるようにした構成のものも含まれる。
【００２８】
さらに図４には本発明の別の実施例があらわされている。この場合には使用する装飾玉１として、管状（パイプ状）をしたものを用いている。図４（Ａ）にあらわしたように各装飾玉１の中空内に前記した実施例と同様の鎖２を引き通した後、鎖２の装飾玉１内部から両側外部に露出した連結子２ａの長円状をした内周側の隙間２ｂ部分に、連結子２ａの内側隙間より径大であって、しかも先端を少なくとも連結子２ａの内側隙間より径小な程度に尖らせた拡開バーＢ（前記した図２において用いた拡開バーＢと同様のもの）を、尖らせた先端を先に手作業により圧入させる。
【００２９】
これにより拡開バーＢの外径により連結子２ａの長円状をした内周側の隙間２ｂ部分を拡開させ、これによって図４（Ｂ）にあらわしたように該連結子２ａの、管状をした各装飾玉１の両側より外方に露出した隙間２ｂ部分の外径を装飾玉１の貫通孔１ａ内径より拡大させることにより装飾玉１の鎖２に沿った移動を規制することができる。
【符号の説明】
【００３０】
１        装飾玉
１ａ      貫通孔
２        鎖
２ａ      連結子
２ｂ      隙間
２２      鎖
２２ａ    連結子
Ｂ        拡開バー
【図１】
0005474433.tif 000002
【図２】
0005474433.tif 000003
【図３】
0005474433.tif 000004
【図４】
0005474433.tif 000005